(57)【要約】【課題】特に高音域が高音質のイヤホンを提供すること。【解決手段】ダイナミック型のウーハ２と圧電素子型のツイータ３とを収容し、パイプ状の導音孔４を有するハウジング本体１を備えたイヤホンにおいて、ツイータ３の音響出力方向を導音孔４の軸方向に一致させる、高音出力方向調整機構を備える。高音出力方向調整機構としては、ウーハ２のリング部に設けられて傾斜を実現する支持具３２や、ツイータの振動板３１に付された導音孔４の軸方向を法線方向とする板状体３３が考えられる。  【選択図】図２
2016225854.tif 000002
【特許請求の範囲】
【請求項１】
ダイナミック型のウーハと圧電素子型のツイータとを少なくとも収容するハウジング本体と、
前記ハウジング本体に設けられたパイプ状の導音孔とを備え、
前記導音孔の軸方向は、前記ウーハの音響出力方向と相違する方向であり、
前記ツイータの音響出力方向を前記導音孔の軸方向に一致させる、高音出力方向調整機構を備えることを特徴とする、イヤホン。
【請求項２】
前記高音出力方向調整機構は、前記ウーハのリングの外周に設けられて前記ツイータの振動板を傾斜させて支持する支持具であることを特徴とする、請求項１に記載のイヤホン。
【請求項３】
前記ツイータの振動板は前記ウーハのリングと平行に設けられ、
前記高音出力調整機構は、一端を前記振動板に接するパイプと、前記パイプの他端に設けられて前記導音孔の軸方向を法線方向とする板状体とから構成されることを特徴とする、請求項１に記載のイヤホン。
【発明の詳細な説明】
【技術分野】
【０００１】
本発明は、イヤホンに関する。
【背景技術】
【０００２】
イヤホンとしては、カナル型やセミオープン型のものが広く用いられている。いずれも、スピーカの設けられたハウジング本体から、耳孔に向けて音（空気）を伝達する導音孔を有する。導音孔は、ハウジング本体の中心から離間した箇所に、ハウジング本体の軸方向（スピーカの音響出力方向）とは異なる方向に軸を有する円筒形に設けられていることが多い。導音孔にイヤーパッドを付して耳に装着する場合の装着感を向上させるものである。
【０００３】
上記の構造は、以下の問題点を有するものである。すなわち、低音は指向性が小さくハウジング内での減衰も少ない。一方、高音は指向性が大きく、かつ、ハウジング内の反射により減衰する。中心から離間した箇所の異なる軸方向に向けて十分な強度で伝送されるものではない。このため、導音孔から耳（鼓膜）に伝えられる音響は、高音の弱い低音質のものとなってしまう。
【０００４】
従来のイヤホンは、例えば特許文献１に開示されたように、低音域を出力するウーハと、高音域を出力するツイータとが、ハウジング本体の軸方向に同軸に設けられていた。このため、上記の問題点が解決されていなかった。
【先行技術文献】
【特許文献】
【０００５】
【特許文献１】特開２００４−１４７０７７号公報
【発明の概要】
【発明が解決しようとする課題】
【０００６】
本発明は、特に高音域が高音質のイヤホンを提供することを課題とする。
【課題を解決するための手段】
【０００７】
ウーハとツイータとを有するイヤホンにおいて、ツイータの発する音響を導音孔に向けて直進させることで、課題を解決する。
【０００８】
本発明のイヤホンは、
ダイナミック型のウーハと圧電素子型のツイータとを少なくとも収容するハウジング本体と、
前記ハウジング本体に設けられたパイプ状の導音孔とを備え、
前記導音孔の軸方向は、前記ウーハの音響出力方向と相違する方向であり、
前記ツイータの音響出力方向を前記導音孔の軸方向に一致させる、高音出力方向調整機構を備えることを特徴とする。
【０００９】
この特徴によれば、ツイータの音響出力方向が導音孔の軸方向に一致するので、ツイータの出力する音響を導音孔に向けて直進させることができる。指向性や減衰の問題が解消する。
【００１０】
本発明のイヤホンは、
前記高音出力方向調整機構は、前記ウーハのリングの外周に設けられて前記ツイータの振動板を傾斜させて支持する支持具であることを特徴とする。
【００１１】
この特徴によれば、振動板を含むツイータの音響出力方向が調整される。
【００１２】
本発明のイヤホンは、
前記ツイータの振動板は前記ウーハのリングと平行に設けられ、
前記高音出力調整機構は、一端を前記振動板に接するパイプと、前記パイプの他端に設けられて前記導音孔の軸方向を法線方向とする板状体とから構成されることを特徴とする。
【００１３】
この特徴によれば、板状体によって（振動板の方向と無関係に）ツイータの音響出力方向が定まる。
【発明の効果】
【００１４】
本発明によれば、ツイータの音響出力方向を導音孔の方向に合わせることができ、高音域が高音質のイヤホンを提供することが可能となる。
【図面の簡単な説明】
【００１５】
【図１】図１は、従来のイヤホンを説明する図である。
【図２】図２は、本発明のイヤホンの概念を示す図である。
【図３】図３は、本発明のイヤホンの例を示す図である。
【図４】図４は、本発明のイヤホンの例を示す図である。
【発明を実施するための形態】
【００１６】
図１は、従来のイヤホンを説明する図である。ハウジング本体１に内部にダイナミック型のウーハ２と圧電素子型のツイータ３（圧電素子及び振動板３１）が設けられている。
【００１７】
ウーハ２とツイータ３は、共に、音響出力方向がハウジング本体の軸方向（図における上下方向）である。これに対し、導音孔４が、ハウジング本体の中心から離間した箇所に、ハウジング本体の軸方向（スピーカの音響出力方向）とは異なる方向に軸を有する円筒形に設けられている。
【００１８】
ウーハ２から出力される低音は、指向性が小さく、図１（Ａ）に示すように、導音孔４から伝達される。
【００１９】
これに対し、ツイータ３から出力される高音は、指向性が大きく、図１（Ｂ）に示すように、減衰し、導音孔４から伝達される音量が小さくなってしまう。
【００２０】
図２は、本発明のイヤホンの概念を示す図である。ツイータ３を導音孔４の直下にその音響出力方向を導音孔４の軸方向に一致させて設ける。こうすることで、ツイータ３から出力される高音が導音孔４から伝達される。
【００２１】
なお、ウーハ２とツイータ３のみを示したが、本発明の要点はツイータ３の配置にある。ツイータ３以外の低中音を出力するものはウーハ２に限定されず、例えばスコーカを含んでもよい。ウーハ２は、ツイータ３以外の低中音を出力するものを１個に示したものである。
【００２２】
以下、ツイータ３を導音孔４の直下にその音響出力方向を導音孔４の軸方向に一致させて設ける具体的な実施例を示す。
【実施例１】
【００２３】
図３は、本発明のイヤホンの例を示す図である。図３（Ａ）は断面図である。ウーハ２の周縁のリング２１に、ツイータ３を傾斜して支持する支持具３２が設けられている。
【００２４】
図３（Ｂ）は、リング２１と支持具３２の関係を示す斜視図である。支持具３２はリング２１に沿って設けられている。リング２１の内部には設けられておらず、ウーハ２の出力音（空気の流れ）を妨げない。
【００２５】
支持具３２に振動板３１を当接させることで、ツイータ３（圧電素子及び振動板３１）の音響出力方向を導音孔４の軸方向に一致させることができる。
【実施例２】
【００２６】
図４は、本発明のイヤホンの例を示す図である。図４（Ａ）は断面図である。ツイータ３の位置は図１と同様であるが、板状体３３が設けられている。板状体３３は導音孔４の軸方向を法線方向とする。振動板３１に当接するパイプ３３ｂによって板状体３３が支持されている。
【００２７】
振動板３１は、その周縁を支持されて、圧電素子により屈曲振動する。この屈曲振動により、パイプ３３ｂがピストン状に往復運動を行う。パイプ３３ｂの運動によって板状体３３が振動し、音響を発生する。
【００２８】
板状体３３は導音孔４の軸方向を法線方向とするので、板状体３３の振動による音響は、減衰せずに導音孔４から伝達される。
【産業上の利用可能性】
【００２９】
高音質のイヤホンであり、多くの音響機器製造業者による利用が考えられる。
【符号の説明】
【００３０】
１    ハウジング本体（イヤホン）
２    ウーハ
３    ツイータ（圧電素子）
３１  振動板
３２  支持具
３３  板状体
４    導音孔
【図１】
2016225854.tif 000003
【図２】
2016225854.tif 000004
【図３】
2016225854.tif 000005
【図４】
2016225854.tif 000006